(57)【特許請求の範囲】
【請求項１】
各種ミストを捕捉する為のフィルターユニットにおいて、前記フィルターユニットはミストフィルター及び基台を有し、前記ミストフィルターは前記基台に形成された仕切り部に、上流側に空間部を有しつつ配置されると共に、不織布からなるペレット状のフィルターチップが、通気性を有する袋体に収納されており、前記不織布は、複数の気泡を有するポリウレタンからなる基部と、複数本の極細繊維からなる繊維束とからなる二重構造体にて形成されおり、前記繊維束の周囲には空隙部が形成されていることを特徴とするフィルターユニット。
【請求項２】
請求項１記載の構成よりなるフィルターユニットにおいて、前記フィルターユニットは複数個のミストフィルターを有することを特徴とするフィルターユニット。
【請求項３】
請求項１又は２に記載の構成よりなるフィルターユニットにおいて、基台は複数の仕切り部を有することを特徴とするフィルターユニット。
【請求項４】
請求項１から３のいずれか１項に記載の構成よりなるフィルターユニットにおいて、複数の仕切り部に配置された複数個のミストフィルターは、ミストの流入側から流出側に向かって、フィルターチップの集合体の密度が小から大に変化することを特徴とするフィルターユニット。
【請求項５】
請求項１から４のいずれか１項に記載の構成よりなるフィルターユニットにおいて、フィルターチップはミストの流速に伴い、袋体の中を四方に拡散することを特徴とするフィルターユニット。
【請求項６】
請求項１から５のいずれか１項に記載の構成よりなるフィルターユニットにおいて、袋体は、ミストの排気口となる管等の端部が挿入可能な穴部を有することを特徴とするフィルターユニット。
【請求項７】
請求項１から６のいずれか１項に記載されたフィルターユニットが開口を有する箱体の内部に収納されたことを特徴とするミスト捕集体。
【請求項８】
請求項１から６のいずれか１項に記載されたフィルターユニット、あるいは請求項７記載のミスト捕集体を有し、制御盤を少なくとも搭載した真空ポンプユニット。
【発明の詳細な説明】
【技術分野】
【０００１】
本発明は、水系、油系の各種ミストを捕捉する為のフィルターユニット、及びそのフィルターユニットを箱体に収納したミスト捕集体、及びフィルターユニットあるいはミスト捕集体を搭載した真空ポンプユニットに関するものである。
【背景技術】
【０００２】
従来のこの種のフィルターユニットに関しては、マイクロメートル領域の孔径を有するマクロ細孔と、ナノメートル領域の孔径を有するナノ細孔との二種類のタイプの細孔を有する多孔質シリカ材料からなるオイルミスト除去フィルター（例えば、特許文献１参照）がある。
【０００３】
また、有底筒状に形成され真空ポンプ排気口に連通されたオイルミストトラップ本体と、このオイルミストトラップ本体の開口部に被せられてオイルミストトラップ本体の外壁との間に排気通路を形成する有底筒状の蓋体とを備えたオイルミストトラップにおいて、前記オイルミストトラップ本体の内方に、このオイルミストトラップ内を真空ポンプ排気口側と前記排気通路側とに仕切るフィルターを装着すると共に、このオイルミストトラップ本体の外側に、前記蓋体の外壁と対向する外壁を有しかつ蓋体に被せられる有底筒状のカバーを設けたことを特徴とするオイルミストトラップ（例えば、特許文献２参照）がある。
【０００４】
また、ほぼ密閉された加工室内で行なわれる機械加工時に使用される切削液や洗浄液から発生するオイルミストを周囲の空気と一緒に吸引して捕集する回転式フィルターを用いる捕集ユニットと、その捕集ユニットの吸入側を負圧状態とすると共に同捕集ユニットを通過した空気を外部へ排出させるルーツ式ブロワとから構成されたミスト捕集装置において、前記回転式フィルターは、多数の空気通過孔を形成した筒体の外周部に、メッシュ０．１μｍ〜０．３μｍの化学合成不織布により多数の襞がジグザグ状に連続して形成された内側フィルター材を装着し、その内側フィルター材の襞の外周面に所定厚さの極細繊維電石不織布からなる外側フィルター材をほぼ沿うように巻装してその上から押えバンドを装着してなり、前記捕集ユニットのドレン排出口に同捕集ユニットにより除去されるオイルミストを収容するドレンタンクを設けたことを特徴とするミスト捕集装置（例えば、特許文献３参照）がある。
【０００５】
さらに、浴槽と、この浴槽内の浴水を強制的に循環させる流路と、この流路の途中に設けられた浄化槽とを備え、この浄化槽内に浴水中の有機物を除去する柔軟性を有した浄化用フィルターを収納すると共に、この浄化用フィルターを圧縮することによって浄化用フィルターに付着している前記有機物を離脱させる圧縮手段を設け、前記流路には離脱された有機物を外部へ排出する排出手段を設けたことを特徴とする浴水の浄化装置（例えば、特許文献４参照）もある。
【先行技術文献】
【特許文献】
【０００６】
【特許文献１】特開２００５−２１８９４４号公報
【特許文献２】特開平５−１３７９２５号公報
【特許文献３】特開２００８−２４６３６６号公報
【特許文献４】特開平１１−４７５１５号公報
【発明の概要】
【発明が解決しようとする課題】
【０００７】
特許文献１のオイルミスト除去フィルターは、マクロ細孔とナノ細孔という異なる大きさの細孔を有することから、効果的にオイルミストを捕捉することができる。しかしながら、細孔からなる構成であることから、目詰まりを発生しやすく、オイルミストの捕捉面積も小さく、目詰まりによりオイルミストの捕捉持続性が短いという問題があった。
【０００８】
特許文献２のオイルミストトラップは、オイルミストトラップ本体に設置されたフィルターは筒状に形成されていることから、平板状のフィルターに比べてオイルミストの捕捉面積は広く、オイルミストを捕捉する効率性はよい。しかしながら、フィルターは本体に固定されている為、フィルターの目詰まりによる圧力損失の発生が早いという課題があった。
【０００９】
特許文献３のミスト捕集装置は、ミスト捕集装置に設置された回転式フィルターは多数の襞がジグザグ状に連続して形成された不織布からなることから、平板状や筒状の形態に比べてオイルミストの捕捉面積が広く、捕捉性能は良好である。しかしながら、捕捉面積が広いことから、オイルミストの捕捉持続性も長いが、襞の表面をフィルターとして使用する為、目詰まりが発生し、満足のいく耐用期間ではなかった。
【００１０】
特許文献４の浴水の浄化装置は、浄化装置に設置された浄化用フィルターが複数個のチップ状のスポンジフィルターからなる。チップ状であることから、捕捉面積は広く、しかも複数個あるので、浴水中の有機物の捕捉性能は良好である。また、押圧板により浄化用フィルターに圧力をかけ、スポンジの表面や内部に捕捉された有機物を外部に排出するので、浄化用フィルターの目詰まりを回避することができる。しかしながら、スポンジ材は外部から繰り返し圧力を付加されると、多孔質な気泡が破壊され、耐用期間が短いという課題を有していた。
【００１１】
本発明は、上記従来の課題を解決するもので、ミストの捕捉性能が高く、耐用性に優れたフィルターユニット、及びそのフィルターユニットを収納したミスト捕集体、及びそのフィルターユニット、あるいはミスト捕集体を搭載した真空ポンプユニットを提供することを目的としている。
【課題を解決するための手段】
【００１２】
前記従来の課題を解決する為に、請求項１の発明のフィルターユニットは、各種ミストを捕捉する為のフィルターユニットにおいて、前記フィルターユニットはミストフィルター及び基台を有し、前記ミストフィルターは前記基台に形成された仕切り部に、上流側に空間部を有しつつ配置されると共に、不織布からなるペレット状のフィルターチップが、通気性を有する袋体に収納されており、前記不織布は、複数の気泡を有するポリウレタンからなる基部と、複数本の極細繊維からなる繊維束とからなる二重構造体にて形成されおり、前記繊維束の周囲には空隙部が形成されているもので、ミストフィルターは複数のペレット状のフィルターチップが袋体に収納されている。その為、ミストフィルターは、平板状、筒状、襞状等の形態に比べて、ミストの捕捉面積を広く確保できることから、フィルターユニットは高いミスト捕捉性能を発揮することができる。
【００１３】
また、フィルターチップは不織布からなるので、スポンジ等に比べて、耐摩耗性が良好で、優れた耐久性を有する。また、ミストフィルターは基台に形成された空間部を有する仕切り部に配置されてある為、ミストフィルターでオイル等が捕捉された後のエアーの流れを妨げることなく、効率的にミストを捕捉できる。
【００１４】
請求項２の発明のフィルターユニットは、特に、請求項１のフィルターユニットにおいて、前記フィルターユニットは複数個のミストフィルターを有するもので、例えば、１箇所の仕切り部に複数個のミストフィルターを重ね合わせて配置することにより、迅速にミストを捕捉したり、複数箇所の仕切り部に１個ずつミストフィルターを配置することにより、ミストフィルター間にエアーの通路を作ることができ、効率的にミストを捕捉することができる。また、ミストフィルターを形成するフィルターチップの数量を増減させることによりミストフィルターの密度を変えたり、フィルターチップの大きさ、材質を変えたりすることにより、ミストの種類や粘度等に応じて、迅速、且つ確実にミストを捕捉できる。
【００１５】
請求項３の発明のフィルターユニットは、特に、請求項１から２のフィルターユニットにおいて、基台は複数の仕切り部を有するもので、複数の仕切り部にミストフィルターを配置でき、複数のミストフィルター間に空間部を形成できる為、エアーの通路を形成でき、一段と効率的にミストを捕捉することができる。また、ミストフィルターを形成するフィルターチップの数量を増減させることによりミストフィルターの密度を変えたり、フィルターチップの大きさ、材質を変えたりすることにより、ミストの種類や粘度、流速等に応じて、効率よく確実にミストを捕捉できる。
【００１６】
請求項４の発明のフィルターユニットは、特に、請求項１から３のフィルターユニットにおいて、複数の仕切り部に配置された複数個のミストフィルターは、ミストの流入側から流出側に向かって、フィルターチップの集合体の密度が小から大に変化するもので、ミストは流入側から流出側に向かって、フィルターユニットを通過する。その際、ミストは複数のミストフィルターに順に当たり、抵抗が加えられるので、ミストの流速は流出側に向かうに従って遅くなる。そして、フィルターチップの集合体の密度は流出側ほど大きくなる。すなわち、フィルターユニットの密度は、ミストの流入側から流出側に向かって小から大に変化させている為、ミストは流出側に向かうに従って流速が遅くなると共に、ミストを捕捉するフィルターチップの集合体の密度は大きくなるので、フィルターユニットのミストの捕捉性能は大幅に向上する。
【００１７】
請求項５の発明のフィルターユニットは、特に、請求項１から４のフィルターユニットにおいて、フィルターチップは拡動するもので、フィルターチップはミストの流速に伴い、袋体の中で四方に拡散する。本発明では、フィルターチップが袋体の中で四散することを拡動と定義する。ミストはフィルターチップに当たりながら、捕捉される。また、捕捉されなかったミストは徐々に流速が遅くなり、基台の底部に衝突し、次に逆流してフィルターユニットを通過する。その際、ミストは袋体の中を四方に拡散したフィルターチップに当たり、捕捉される。従って、ミストはフィルターチップがフィルターユニットの中で流動的に略往復運動することにより捕捉されるので、フィルターユニットのミストの捕捉性能は飛躍的に向上する。
【００１８】
請求項６の発明のフィルターユニットは、特に、請求項１から５のいずれかのフィルターユニットにおいて、袋体は、ミストの排気口となる管等の端部が挿入可能な穴部を有するもので、袋体に形成された穴部には、ミストの排気口となる管、パイプ等の端部を挿入することができる。その為、排気口から確実にミストをフィルターユニットの中に導入することができ、排気口からミストが周囲に拡散することを防ぐことができる。
【００１９】
請求項７の発明のミスト捕集体は、請求項１から６のいずれか１項に記載されたフィルターユニットが開口を有する箱体の内部に収納されたもので、ミストが周囲に四散することが防止され、周辺の環境の汚染を確実に防ぐことができる。
【００２０】
請求項８の発明の真空ポンプユニットは、請求項１から６のいずれか１項に記載されたフィルターユニット、あるいは請求項７記載のミスト捕集体を有し、制御盤を少なくとも搭載したもので、ミストの捕捉性能が高く、耐用性に優れたフィルターユニット、あるいはミスト捕集体が搭載されていることから、長期間に亘り、周辺の作業環境の汚染が防止できる真空ポンプユニットを提供できる。
【発明の効果】
【００２１】
請求項１の発明のミストフィルターは、高いミストの捕捉性能、及び優れた耐久性を発揮することができる。
【００２２】
請求項２の発明のミストフィルターは、１箇所の仕切り部に複数個のミストフィルターを配置したり、複数箇所の仕切り部に１個ずつのミストフィルターを配置できるので、効率的にミストを捕捉することができる。
【００２３】
請求項３の発明のミストフィルターは、複数の仕切り部にミストフィルターを配置できるので、複数のミストフィルター間に空間部を形成できる為、一段と効率的にミストを捕捉することができる。
【００２４】
請求項４の発明のミストフィルターは、流速等に応じて適切なミストの捕捉できる為、ミストの捕捉性能が大幅に向上する。
【００２５】
請求項５の発明のミストフィルターは、ミストフィルター内でフィルターチップが略往復運動する為、ミストの捕捉性能が飛躍的に向上する。
【００２６】
請求項６の発明のミストフィルターは、排気口から確実にミストをフィルターユニットの中に導入できる為、周辺の環境汚染を防ぐことができる。
【００２７】
請求項７の発明のミスト捕集体は、フィルターユニットが箱体に収納されている為、周辺の環境汚染を確実に防ぐことができる。
【００２８】
請求項８の発明の真空ポンプユニットは、ミストの排気口にフィルターユニット、あるいはミスト捕集体が搭載されている為、長期間に亘り、周辺の作業環境の汚染を防止することができる。
【図面の簡単な説明】
【００２９】
【図１】実施例１のミスト捕集体の断面図である。
【図２】ミストフィルターを前面側から見た斜視図である。
【図３】（ａ）フィルターチップを前面側から見た斜視図、（ｂ）不織布の部分拡大図、（ｃ）袋体の平面図である。
【図４】基台を前面側から見た斜視図である。
【図５】図１のＡ−Ａ平面図である。
【図６】実施例２のミスト捕集体の断面図である。
【図７】図６の基台の上段に配置されるミストフィルターを前面側から見た斜視図である。
【図８】真空ポンプユニットの説明図である。
【発明を実施するための形態】
【００３０】
以下、本発明の実施の形態について図面を参照しながら説明する。なお、この実施の形態により本発明が限定されるものではない。
【実施例１】
【００３１】
図１から図５を用いて、実施例１のフィルターユニット、及びミスト捕集体について説明する。
【００３２】
図１において、ミスト捕集体２０は開口を有する箱体７の内部に、フィルターユニット１が収納されている。箱体７は、鉄、ＳＵＳ、アルミニウム等の金属材料、あるいはポリプロピレン、ＭＣナイロン等の樹脂材料からなる。フィルターユニット１は、基台３に設けられた図４に記載の３段の仕切り部５に形成された仕切り棒１９の上に、３個のミストフィルター２が配置されている。
【００３３】
図２、図３（ａ）、及び図３（ｃ）において、ミストフィルター２は通気性を有するメッシュ状の袋体１１の中に、複数個のペレット状の不織布１３からなるフィルターチップ１０が収納され、ジッパーからなる接合部１２により袋とじされ、形成されている。ミストフィルター２は、基台３に設けられた３段の仕切り部５に、それぞれ配置されているが、フィルターチップ１０の集合体の密度は、上段の仕切り部５に配置されたミストフィルター２が最も小さく、次に中段の仕切り部５に配置されたミストフィルター２が上段のミストフィルター２より大きく、下段の仕切り部５に配置されたミストフィルター５が最も大きい。すなわち、図１、及び図４に示すように、排気口９からミストが矢印の如くミスト捕集体２０の中を流れると、排気口９からのミストの流入側となる上段の仕切り部５に形成された仕切り棒１９の上に位置するミストフィルター２が最も密度が小さく、次に中段の仕切り部５に位置するミストフィルター２の密度が上段のミストフィルター２より大きく、ミストの流出側となる下段の仕切り部５に位置するミストフィルター２が最も密度が大きいという構成となる。前記の構成とすることにより、ミストの流速に応じて、流速が小になる程、ミストを捕捉するフィルターチップ１０の集合体の密度を大にすることで、適切なミストの捕捉ができる。
【００３４】
図４において、基台３は３段の仕切り部５の両側に側板６、６が設置されている。仕切り部５は、４本の仕切り棒１９が側板６に平行に配置されることにより、空間部４が形成される。基台３は、鉄、ＳＵＳ、アルミニウム等の金属材料、ポリプロピレン、ＭＣナイロン等の樹脂材料、木材等からなる。なお、基台３に空間部４を形成する方法としては、桟、フック、引っ掛け式金具等を使用する等、目的に応じて、適宜、選択できる。
【００３５】
次に、フィルターチップ１０を構成する不織布１３について説明する。図３（ａ）、及び図３（ｂ）の如く、不織布１３は複数本の繊維束１４を有する。繊維束１４は複数本の極細繊維１５からなると共に、隣り合う極細繊維１５の間には空隙部１６が形成されている。さらに、繊維束１４を結合する為に、複数の気泡１８を有するポリウレタンからなる基部１７が結合剤として用いられ、不織布１３は基部１７と、空隙部１６を有する複数本の繊維束１４からなる二重構造体として形成されている。極細繊維１５はポリエステル、ナイロン等の合成繊維で、繊度は１デニール（ｄ）未満である。１ｄとは９０００ｍで１ｇとなる繊維のことで、一般的に１ｄ未満の繊維が極細繊維１５と呼ばれる。
【００３６】
不織布１３は、次のように製造される。最初に、複数本の繊維束１４を、平板状に集積させて布状体を形成し、前記布状体を複数枚、重ね合わせた後、特殊な針を突き刺して、３次元に絡合させる。前記の製造方法は、一般的には、ニードルパンチングと呼ばれている。また、布状体はウエッブと呼ばれている。得られた布状体を、ポリウレタン溶液中に含浸し、布状体にポリウレタンを充填させる。次いで、ポリウレタンを充填させた布状体を、水中に浸漬させると共に、水中に二酸化炭素を注入し、炭酸発泡させることにより、極微細な気泡１８を有する多孔質化されたポリウレタンの基部１７、及び空隙部１６を有する複数本の繊維束１４よりなる平板状のポーラスな二重構造体からなる不織布１３が形成される。
【００３７】
上記に示した不織布１３の製造方法は代表的な例であり、上記以外にも、例えば、熱溶融した合成樹脂を連続的に紡糸して繊維を形成し、繊維を延伸しながら捕集ネット上に集積して熱ロールで加圧することにより繊維を結合して不織布１３を形成するスパンボンド法、熱溶融した合成樹脂を紡糸口から吐出する際、高温エアーで紡出し、捕集ネット上で加熱された繊維を結合させて不織布１３を形成するメルトブロー法、塩化メチレン、フロン等の低沸点溶剤中に合成樹脂を溶解し、紡糸口から加熱、加圧状態で繊維を紡糸すると同時に、前記低沸点溶剤を揮発させ、繊維を捕集ネット上に集積し、熱ロールで加圧して繊維を結合して不織布１３を形成するフラッシュ紡糸法、融点の異なる複数の合成樹脂を溶融して融点の高い方の合成樹脂を紡糸して繊維を形成し、溶融された融点の低い方の合成樹脂をバインダーとして繊維を接着させて不織布１３を形成するファイバーボンド法やサーマルボンド法、繊維に高圧水流を噴射することにより繊維を絡合して不織布１３を形成する水流絡合法等により製造された不織布１３を用いても構わない。
【００３８】
平板状の不織布１３は鋏、カッター、トムソン型等を用いて、ペレット状のフィルターチップ１０に加工される。複数のフィルターチップ１０は袋体１１の中に所望の密度となるよう収納され、接合部１２を閉じることによりミストフィルター２が製作される。ミストフィルター２は、基台３に設けられた仕切り部５に形成された仕切り棒１９の上に配置され、フィルターユニット１が形成される。さらに、フィルターユニット１を、開口を有する箱体７の内部に収納し、ミスト捕集体２０が構成される。
【００３９】
本実施例では、フィルターチップ１０の材質として同一の不織布１３が用いられているが、３個のミストフィルター２に異なる材質の不織布１３が用いられていてもよい。また、１つのミストフィルター２に異なる材質の不織布１３が混合されていても構わない。フィルターチップ１０の大きさ、ミストフィルター２におけるフィルターチップ１０の集合体の密度等は、特に限定されるものではなく、ミストの量やミストに含まれる液体の粘度、濃度、コスト等を勘案し、適宜、決定されるものである。また、箱体７の形状については、上記以外にも、例えば、円筒形、多面角筒形等、適宜、採用される。
【００４０】
次に、図１、図４及び図５を用いて、排気口９から排出されたミストを、フィルターユニット１、及びミスト捕集体２０が捕捉する仕組みについて説明する。
【００４１】
図１の如く、排気口９から排出されたミストは矢印のようにミストフィルター２、空間部４を通過しながら、ミストフィルター２を構成するフィルターチップ１０により、捕捉される。箱体７の底部８まで達したミストは、底部８で跳ね返り、フィルターユニット１の端部近傍に沿って、上昇していく。ミストに含まれる水分、油分等の液体は、ミストがミストフィルター２に当たりながら捕捉されるので、流速は徐々に減速すると共に、液体量も徐々に減少し、最後は略気体のみとなり、空気中に排出される。底部８に溜まる液体もある。また、特に図示しないが、箱体７の底部８近傍の外周にドレン等のコックを取り付け、外部に液体を排出する構成も採用される。
【００４２】
基台３を構成する上段の仕切り部５に形成された仕切り棒１９の上に配置されたミストフィルター２は、フィルターチップ１０の集合体の密度が最も小さい為、図５の如く、ミストの流速により、フィルターチップ１０がミストの有する液体を捕捉すると共に、袋体１１の端部近傍に四散する。その為、底部８で跳ね返ったミストは、フィルターユニット１の端部近傍を通過することから、上段に位置するミストフィルター２の四方に集まったフィルターチップ１０により確実に液体が捕捉され、最後は略気体のみとすることができるのである。
【００４３】
フィルターチップ１０は、ポーラスな二重構造体からなる不織布１３にて形成されている。その為、複数本の極細繊維１５からなる繊維束１４が有する空隙部１６による毛細管現象、及び基部１７の有する気泡１８にてミストに含まれる液体を、効率よく吸液して捕捉する。
【００４４】
上記の如く構成された実施例１のフィルターユニット１、及びミスト捕集体２０の動作、作用は下記の通りである。
【００４５】
フィルターユニット１はミストフィルター２、及び基台３を有し、ミストフィルター２は基台３に形成された空間部４を有する仕切り部５に形成された仕切り棒１９の上に配置されると共に、不織布１３からなるペレット状のフィルターチップ１０が、通気性を有する袋体１１に収納されている。その為、ミストフィルター２は、平板状、筒状、襞状等の形態に比べて、ミストの捕捉面積を広く確保できることから、フィルターユニット２は高いミスト捕捉性能を発揮することができる。
【００４６】
フィルターチップ１０は、不織布１３からなるので、スポンジ等に比べて、耐摩耗性が良好で、優れた耐久性を有する。また、フィルターチップ１０は、ポーラスな二重構造体からなる不織布１３にて形成されているので、繊維束１４が有する空隙部１６、及び基部１７の有する気泡１８にてミストに含まれる液体を、効率よく吸液して捕捉する。
【００４７】
フィルターユニット１は、基台３に複数の仕切り部５が形成されていると共に、複数のミストフィルター２が配置されているので、効率的にミストを捕捉することができる。なお、特に図示しないが、１箇所の仕切り部５に、複数のミストフィルター２を配置しても構わない。
【００４８】
複数の仕切り部５に配置された複数のミストフィルター２は、ミストの流入側から流出側に向かって、フィルターチップ１０の集合体の密度が小から大に変化する。排気口９から排出されたミストは、流入側から流出側に向かって、フィルターユニット１を通過する。その際、ミストは複数のミストフィルター２に順に当たり、抵抗が加えられるので、ミストの流速は流出側に向かうに従って遅くなる。そして、フィルターチップ１０の集合体の密度は流出側ほど大きくなる。その為、ミストは流出側に向かうに従って流速が遅くなると共に、ミストを捕捉するフィルターチップ１０の集合体の密度は大きくなるので、フィルターユニット１のミストの捕捉性能は大幅に向上する。
【００４９】
排気口９から排出されたミストの流速に伴い、フィルターチップ１０は拡動し、袋体１１の中で四方に拡散する。ミストはフィルターチップ１０に当たりながら、捕捉されると共に、捕捉されなかったミストは徐々に流速が遅くなり、箱体７の底部８に衝突し、次に逆流してフィルターユニット１の端部近傍を通過する。その際、ミストは袋体１１の中を四方に拡散したフィルターチップ１０に当たり、捕捉される。従って、ミストはフィルターユニット１の中で往復運動すると共に、四方に拡動したフィルターチップ１０により確実に捕捉されるので、フィルターユニット１のミストの捕捉性能は飛躍的に向上する。
【００５０】
フィルターユニット１は、開口を有する箱体７の内部に収納され、ミスト捕集体２０として構成されているので、ミストが周囲に四散することが防止され、周辺の環境の汚染を確実に防ぐことができる。
【実施例２】
【００５１】
図６、及び図７を用いて、実施例２のフィルターユニット、及びミスト捕集体について説明する。なお、実施例１のフィルターユニット、及びミスト捕集体と同一の部材については詳しい説明を省略する。また、基台の構造は、実施例１の基台３と同一の構造である。
【００５２】
図６において、ミスト捕集体５０は開口を有する箱体２７の内部に、フィルターユニット２１が収納されている。フィルターユニット２１は、基台２３に設けられた３段の仕切り部（図示せず）に形成された仕切り部３９の上に、３個のミストフィルター２２ａ、２２ｂが配置されている。基台２３は３段の仕切り部（図示せず）の両側に側板２６、２６が設置されている。仕切り部（図示せず）は、４本の仕切り棒３９が側板２６に平行に配置されることにより、空間部２４が形成される。
【００５３】
図６、及び図７において、ミストフィルター２２ａは通気性を有するメッシュ状の袋体３１の中に、複数個のペレット状の不織布からなるフィルターチップ３０が収納され、ジッパーからなる接合部３２により袋とじされ、形成されている。また、略中央部に穴部３３が形成されている。穴部３３の径は、排気口２９の外径と略同一である。また、ミストフィルター２２ｂは、実施例１のミストフィルター２と同一である。
【００５４】
ミストフィルター２２ａ、２２ｂは、基台２３に設けられた３段の仕切り部（図示せず）に形成された仕切り棒３９の上に、それぞれ配置されているが、上段の仕切り部（図示せず）に形成された仕切り棒３９の上に配置されたミストフィルター２２ａは、略中央部に形成された穴部３３に、排気口２９の端部が挿入されている。中段と下段の仕切り部２５にはミストフィルター２２ｂが配置される。
【００５５】
上記の如く構成された実施例２のフィルターユニット２１、及びミスト捕集体５０の動作、作用は下記の通りである。
【００５６】
ミストフィルター２２ａを構成する袋体３１は穴部３３を有するので、袋体３１に形成された穴部３３には、ミストの排気口２９となる管、パイプ等の端部を挿入することができる。その為、排気口２９から確実にミストをフィルターユニット２１、及びミスト捕集体５０の中に導入することができ、排気口２９からミストが周囲に拡散することを防ぐことができる。
【００５７】
排気口２９からフィルターユニット２１に排出されたミストは、ミストフィルター２２ａ、２２ｂ、空間部２４を通過しながら箱体２７の底部２８に衝突し、フィルターユニット２１の端部近傍を通過する往復運動により、フィルターユニット２２ａ、２２ｂを構成する複数のフィルターチップ３０に捕捉される。
【００５８】
なお、特に図示しないが、穴部３３を有するミストフィルター２２ａを、３段すべての仕切り部（図示せず）に形成された仕切り棒３９の上に配置した形態のフィルターユニット２１を採用しても何ら支障はない。
【実施例３】
【００５９】
図８を用いて、実施例３の真空ポンプユニットについて説明する。なお、構成の説明を容易にする為に、各部品の電気配線や、支持部品の図示、説明は省略することとする。また、吸引ロールは、鋼板に付着した油分除去用として用いられるものとする。
【００６０】
図８において、上下一対の吸引ロール４６、４６は図示しない洗浄装置に設置され、上下の吸引ロール４６の間を、油分の付着した鋼板が通過する。吸引ロール４６は、金属材料からなる軸体と、軸体の外周に形成された不織布層を有する。鋼板が通過する部分の吸引ロール４６には不織布層が形成されてあり、鋼板が不織布層と当接することにより、鋼板に付着している油分は、不織布を構成する繊維の毛細管現象により不織布層の内部に吸い上げられる。軸体は中空構造であると共に、外周に複数の吸引孔が形成されている。吸引ロール４６の一方の端部を、ロータリージョイント４７、及び配管４８を介して真空ポンプユニット４０と接続する。真空ポンプユニット４０を作動させ、吸引ロール４６を真空状態にすると、不織布層に吸い上げられた油分は、流体となり、軸体に形成された吸引孔、中空部、配管を通過して吸引ロール４６の内部から外部、すなわち真空ポンプユニット４０に向け、排出される。
【００６１】
真空ポンプユニット４０は、床５１の上に真空ポンプ本体４３、真空ポンプ本体４３を作動させる制御盤４２、及び吸引ロール４６から排出された油分を含む流体を液体と気体に分離するセパレータータンク４４を有する。流体は真空ポンプユニット４０に向け排出されると、セパレータータンク４４に設けられた仕切り板４５に当たり、液体である油分はセパレータータンク４５の底部に溜まり、ベーンポンプ等により図示しない配管を介して、洗浄油タンクに戻される。一方、気体は真空ポンプ本体４３に向け、流出する。しかしながら、仕切り板４５に当たった流体は完全に気体と液体には分離されず、気体には多少の油分が混入し、ミストとなる。
【００６２】
ミストは真空ポンプ本体４３に設けられた排気口４９から真空ポンプ本体４３の外部に排出される。排気口４９の外部には開口を有する箱体５７の内部にフィルターユニット４１が収納されたミスト捕集体６０が配置されている。ミストは、ミスト捕集体６０において油分がミストフィルターにより捕捉され、略気体が真空ポンプユニット４０の外部に排出される。なお、フィルターユニット４１は、実施例１、実施例２に示したフィルターユニット１、２１のいずれかと同一である。ちなみに、ミスト捕集体６０が真空ポンプユニット４０に配設されていない場合、ミストが直接、床５０の上に散出され、ミストから気体が揮発すると、床５０には油分が残り、作業環境が油分により汚染されることになる。
【００６３】
上記の如く構成された真空ポンプユニット４０の動作、作用は下記の通りである。
【００６４】
真空ポンプユニット４０は、フィルターユニット４１、ミスト捕集体６０を有し、制御盤４２を搭載しており、ミストの捕捉性能が高く、耐用性に優れたフィルターユニット４１、ミスト捕集体６０が搭載されていることから、長期間に亘り、油分による周辺の作業環境の汚染を防止することができる。
【産業上の利用可能性】
【００６５】
本発明のフィルターユニットは、主に、水分、油分等を含む各種ミストを捕捉する目的以外にも、長期間に亘り、塵埃等の固形物の除去性能を必要とするフィルターユニットとしても、広く好適に使用することができる。
【符号の説明】
【００６６】
１、２１、４１  フィルターユニット
２、２２ａ、２２ｂ  ミストフィルター
３、２３  基台
４、２４  空間部
５  仕切り部
６、２６  側板
７、２７、５７  箱体
８、２８  底部
９、２９、４９  排気口
１０、３０  フィルターチップ
１１、３１  袋体
１２、３２  接合部
１３  不織布
１４  繊維束
１５  極細繊維
１６  空隙部
１７  基部
１８  気泡
１９、３９  仕切り棒
２０、５０、６０  ミスト捕集体
３３  穴部
４０  真空ポンプユニット
４２  制御盤
４３  真空ポンプ本体
４４  セパレータータンク
４５  仕切り板
４６  吸引ロール
４７  ロータリージョイント
４８  配管
５１  床
【図１】
0006021095.tif 000002
【図２】
0006021095.tif 000003
【図３】
0006021095.tif 000004
【図４】
0006021095.tif 000005
【図５】
0006021095.tif 000006
【図６】
0006021095.tif 000007
【図７】
0006021095.tif 000008
【図８】
0006021095.tif 000009